(57)【特許請求の範囲】
【請求項１】
障子縦框に該縦框の屋内側に配した内部ハンドルのハンドル軸の回動に連動して縦動する縦動片を設け、該縦動片に縦枠に設けた施錠受片を係離する施錠片を設けると共に、前記ハンドル軸に腕片を突設し、該腕片の回動軌跡と交叉する位置関係にして案内材を前記縦框に縦設し、該案内材の縦方向の両側に案内溝を設け、該案内溝に両端を摺嵌させて駆動片を前記案内材に組付け、該案内材に設けた板ばねが常時圧接して定位置が保持され、しかも、前記案内材に沿って縦動して前記腕片を押圧する前記駆動片にハンドル片を突設し、該ハンドル片の先端を前記縦框と前記縦枠間に設けた移動間隙を通じて屋外側に導出して外部ハンドルとした、高層建物の非常侵入口扉の施錠装置。
【発明の詳細な説明】
【０００１】
【産業上の利用分野】
本発明は、火災時に消防の侵入口として特別に設けられている、高層建物における非常侵入口の開閉扉の施錠装置に関するものである。
【０００２】
【従来の技術】
例えば、実公平７−３０８４４号公報所載の通り、内部ハンドルと同軸にして外部ハンドルを設け、該外部ハンドルを内部ハンドルと同様に回動させて解錠して扉を屋外側から開放できるようにした構造のものがある。
【０００３】
【発明が解決しようとする課題】
前記従来例は、ガラス清掃時に外部ハンドルに触れて解錠して扉を開放させ、扉を閉塞位置に戻さないで外部ハンドルを施錠状態位置にさせ、危険な扉の開放状態のままにしてしまうことがある。
【０００４】
本発明は、斯様な従来例の欠点に着目し、ガラス清掃時に積極的な操作をしなければ外部から容易に開放可能状態におくことができない、従って、安全性の高い、非常侵入口扉の施錠装置を提供することを目的として創案したものである。
【０００５】
【実施例】
図面は本発明に係る高層建物における非常侵入口扉の施錠装置の一実施例を示し、図１は横断面図、図２は図１のａ−ａ線断面図、図３は装置箱を断面して示した装置箱内部の正面図、図４は図１のｂ−ｂ線断面図、図５は内外ハンドルの位置関係を示す説明図である。
【０００６】
図示の非常侵入口は、建物の壁面に設けた開口部に窓枠Ａを嵌め込み、該窓枠Ａに開閉障子Ｄを組付けて構成し、障子Ｄを必要に応じて外部（屋外）側から開放して火災時における消防などの侵入口と成るように構成したもので、障子Ｄは屋外側が所謂フレームレスの障子体で成り、その縦框１に、主として自然開放を防ぐための施錠装置を設け、該施錠装置を構成する施錠片２を、屋内側の内部ハンドル５又は屋外側の外部ハンドル６の操作により縦枠３側に設けた施錠受片４より離脱させることにより障子開放が行えるようにしたものである。
【０００７】
前記内部ハンドル５は、その屋外端に突設したハンドル軸７を屋内側から屋外方向にして前記縦框１に嵌挿して回動操作可能に支持させたもので、この内部ハンドル５の角軸状の前記軸７には、中間部に配した第一腕片８と先端側に配した第二腕片９をそれぞれの基部において止着して突設し、これらを障子Ｄのガラスパネルｇに屋内外方向に重ね合わせるようにして配してある。
【０００８】
第一腕片８は縦框１の内腔部１ａに収容して支持片１０を介して固定した装置箱１１内に収設し、その先端側に同様に装置箱１１内に納めたリンク片１２の一端を第一枢支ピン１３によって回動自在に組付け、リンク片１２の他の一端は、第二枢支ピン１３´を介して前記装置箱１１内を縦動する仲介片１４に組付け、仲介片１４には規制ピン１３Ａを設け、この規制ピン１３Ａと、仲介片１４とリンク片１２を互いに回動自在に組付けた前記第二枢支ピン１３´を、前記装置箱１１の側板１１ａに縦設した案内長孔１５に係合し、仲介片１４が装置箱１１内において案内長孔１５で規制した一定位置で縦動するようにしてある。
【０００９】
装置箱１１の障子戸先側面を開放して露出させた前記仲介片１４の戸先側の表面には連結片１６を止着して仲介片１４と一体的に縦動するようにしてあり、この連結片１６の上下の端部には、前記縦框１に設けた縦溝１７に沿って縦動する上下の縦動片１８Ａ，１８Ｂを止着し、各縦動片１８Ａ，１８Ｂにはそれぞれ前記施錠片２を設けて、この施錠片２が前記縦枠３の障子Ｄ側の内面に設けた前記施錠受片４を係離するようにしてある。
【００１０】
すなわち、第一腕片８は、ハンドル軸７の回動に伴って回動し、この結果、図２において反時計廻り方向に回動して第一枢支ピン１３を介してリンク片１２を、第二枢支ピン１３´を中心に回動させつつ降下させ、リンク片１２には第二枢支ピン１３´を介して仲介片１４を連けいさせてあるので仲介片１４は降下し、この仲介片１４には連結片１６を介して縦動片１８Ａ，１８Ｂを組付けてあるため、各縦動片１８Ａ，１８Ｂも降下し、この結果、施錠受片４に重なり合って障子Ｄの施錠状態を確保していた施錠片２は該受片４位置から離脱し、障子Ｄの開放可能状態が得られるのである。
【００１１】
なお、施錠状態に戻すには、内部ハンドル５を操作してハンドル軸７を逆方向に回動させることにより各部材は原位置に復帰して図２で示す状態となる。
【００１２】
本発明に係る施錠装置は、前記のハンドル軸７を、障子Ｄの外部（屋外）側から回動させて前記と同様に施錠片２を施錠受片４位置から離脱させて障子開放可能状態を得られるようにしたもので、そのため、実施例ではハンドル軸７の先端側に突設した前記第二腕片９の先端を前記内腔部１ａより縦長の窓孔１９を通じて障子Ｄの戸先側の外部に突出させて配し、該先端（第二腕片９の）の屋外面側には、該先端のハンドル軸７を中心とする回動軌跡と交叉する位置にして案内材２０を配して前記縦框１の屋内面にねじ２４で止着し、該案内材２０の縦方向の両側に設けた案内溝２０ａ，２０ａに両端を摺嵌するようにして駆動片２１を前記案内材２０に組付けてある。そして、駆動片２１は、下端に、第二腕片９（の先端）を押圧する押圧部片２１ａを備えた主体部片２１´の屋外面側の裏面に前記案内溝２０ａに摺嵌する補助部片２１´´を止着して構成し、補助部片２１´´の縦方向に沿う中央に常時圧接する板ばね２３を前記案内材２０の案内溝２０ａ，２０ａ間の中央に設けて当該駆動片２１の定位置が保持されるようにしてある。そしてまた、駆動片２１（主体部片２１´）の前記障子戸先側の一端の上端部からハンドル片６´を突設し、該ハンドル片６´を、障子閉塞時における障子Ｄの戸先部と縦枠３とで構成される移動間隙２６を通じて障子外部（屋外）側に導出して外部（屋外側）ハンドル６と成し、ハンドル６はハンドル片６´の先端に押圧部片６´´を設けたものである。
【００１３】
なお、移動間隙２６はハンドル片６´（外部ハンドル６）の移動位置に見合う位置、また、上下の移動幅に見合う幅（長さ）であればよく、この間隙２６を通じての雨、風は、図１で示すように、縦枠３の屋内外方向の中間部に設けた屋外側水気密材２７が障子Ｄの戸先側端部（乃至ハンドル片6´）に接してその侵入を防止し、なおまた、前記縦枠３の屋内端部片３ａに備えた屋内側水気密材２７ａに縦框１の屋内端が接して屋内への侵入を確実に防ぐようにしてある。
【００１４】
また、縦框１に基板２９を固着し、該基板２９に前記ハンドル軸７を中心とする円周に沿う円弧状の長孔３０を設け、この長孔３０に第二腕片９の中間部に設けたピン２８を係合して、第二腕片９が設計通りに円運動をするようにしてあり、この第二腕片９の移動角度と前記第一腕片８の移動角度はほぼ９０°に設定してある。
【００１５】
しかして、ハンドル片６を押圧部片６´´において押下すると、板ばね２３の圧接によって生じる接触抵抗に抗して駆動片２１は案内材２０に沿って降下し、駆動片２１（の押圧部片２１ａ）は案内材２０と交叉位置に位置する（駆動片２１の移動路上に存する）第二腕片９の先端を押圧してこれをハンドル軸７を中心として回動降下させ、これに伴ってハンドル軸７を回動させ、前記の通りの各部の動きにより障子Ｄの開放可能状態を得られるのである。
【００１６】
そして、内部ハンドル５を回動させて原位置に復帰させることにより、これに連動して外部ハンドル６も原位置である施錠位置に復帰することは勿論である。
【００１７】
【発明の効果】
本発明は前記の通りの構成であるから、外部ハンドルを縦動させない限り、屋外側からの扉の開放はできないから、従来の回動式の外部ハンドルと較べ誤操作を可及的に回避させることができる。また、外部ハンドルは、扉（障子）を通さないで扉の屋内側で施錠装置に連けいするものであるから、実施例のようにガラスパネルを端縁一杯に配した扉（障子）に対しても適用でき、従って、適用範囲の広い施錠装置を提供できる。
【図面の簡単な説明】
【図１】横断面図。
【図２】図１のａ−ａ線断面図。
【図３】装置箱を断面して示した装置箱内部の正面図。
【図４】図１のｂ−ｂ線断面図。
【図５】内外ハンドルの位置関係を示す説明図。
【符号の説明】
１              縦框
２              施錠片
３              縦枠
４              施錠受片
５              内部ハンドル
６              外部ハンドル
６´            ハンドル片
７              ハンドル軸
９              第二腕片
１８Ａ，１８Ｂ  縦動片
２０            案内材
２１            駆動片
２６            移動間隙
【図１】
0004375936.tif 000002
【図２】
0004375936.tif 000003
【図３】
0004375936.tif 000004
【図４】
0004375936.tif 000005
【図５】
0004375936.tif 000006